(57)【要約】【課題】例えば、ガラス、人工大理石、石、金属、樹脂、陶器、あるいは磁器などといった異なる材質を用いつつ、より高い意匠性を持った便蓋を有する便座装置を提供することを目的とする。【解決手段】便器に設置されるケーシングと、前記ケーシングに回動可能に装着されるヒンジ部を有する便座および便蓋と、を備え、前記便蓋は、前記ヒンジ部が設けられた基材と、前記基材の上方を覆うように前記基材に装着された天板と、前記基材の側方を覆うように前記基材に装着された側板と、を有することを特徴とする便座装置が提供される。【選択図】図３
2010082013.tif 000002
【特許請求の範囲】
【請求項１】
便器に設置されるケーシングと、
前記ケーシングに回動可能に装着されるヒンジ部を有する便座および便蓋と、
を備え、
前記便蓋は、
前記ヒンジ部が設けられた基材と、
前記基材の上方を覆うように前記基材に装着された天板と、
前記基材の側方を覆うように前記基材に装着された側板と、
を有することを特徴とする便座装置。
【請求項２】
前記側板は、前記基材に対して着脱自在とされたことを特徴とする請求項１記載の便座装置。
【請求項３】
前記天板は、前記基材に対して着脱自在とされたことを特徴とする請求項２記載の便座装置。
【請求項４】
前記天板は、固定されたナットを有し、
前記ナットと前記基材とがねじで締結されることにより、前記天板が前記基材に装着されることを特徴とする請求項３記載の便座装置。
【発明の詳細な説明】
【技術分野】
【０００１】
本発明の態様は、一般的に、便座装置に関し、具体的には洋式腰掛便器に装着される便座装置に関する。
【背景技術】
【０００２】
一般的に、便蓋や便座を有する便座装置に対して、より高い意匠性が求められる場合がある。例えば、便蓋の少なくとも一部に、ガラス、人工大理石、石、金属、陶器、あるいは磁器などといった従来とは異なる材質を利用して、使用者の好みやトイレ環境に合わせたデザインを得ようとする試みがある。
【０００３】
そこで、ヒンジ部を有する外側部材とセンター部材とを異なる色調から構成し、両者の部材を平面方向に着脱自在に接合した便座装置がある（特許文献１）。特許文献１に記載された便座装置によれば、ツートンカラーが可能となり、美観が向上するとともに高級感が得られる。
【０００４】
また、傷ついた便蓋部を交換可能にする観点から、ヒンジ部を有するフレームに対して、便蓋部を着脱可能に保持させたトイレ装置がある（特許文献２）。特許文献２に記載されたトイレ装置によれば、便蓋部を交換することにより、便蓋部とフレームとの色調を合わせたり、あるいは異ならせるなどして、便座装置の意匠性を高めることも可能である。
【０００５】
しかしながら、特許文献１および２に記載された装置では、ヒンジ部を有する外側部材あるいはフレームに対して、センター部材あるいは便蓋部がそれぞれ着脱自在に設けられているため、そのセンター部材あるいは便蓋部を交換することができる程度にとどまる。そのため、センター部材あるいは便蓋部を、例えば、ガラス、人工大理石、石、金属、樹脂、陶器、あるいは磁器などといった異なる材質から選択して、使用者の好みやトイレ環境に合わせたデザインを得ようとした場合には、外側部材あるいはフレームと、センター部材あるいは便蓋部と、を意匠的に合わせることができないおそれがある。その結果、便座装置やトイレ装置の意匠性を損なうおそれがある。
【特許文献１】特開２００２−２８２１６５号公報
【特許文献２】特開２００２−２７２６４５号公報
【発明の開示】
【発明が解決しようとする課題】
【０００６】
本発明は、かかる課題の認識に基づいてなされたものであり、例えば、ガラス、人工大理石、石、金属、樹脂、陶器、あるいは磁器などといった異なる材質を用いつつ、より高い意匠性を持った便蓋を有する便座装置を提供することを目的とする。
【課題を解決するための手段】
【０００７】
第１の発明は、便器に設置されるケーシングと、前記ケーシングに回動可能に装着されるヒンジ部を有する便座および便蓋と、を備え、前記便蓋は、前記ヒンジ部が設けられた基材と、前記基材の上方を覆うように前記基材に装着された天板と、前記基材の側方を覆うように前記基材に装着された側板と、を有することを特徴とする便座装置である。  
この便座装置によれば、例えば、ガラス、人工大理石、石、金属、樹脂、陶器、あるいは磁器などといった異なる材質から選択した天板に対して、意匠的に調和する側板を選択することができる。したがって、外観部分の調和をとりつつ高い意匠性を有する便蓋を提供することができる。  
なお、ここで、「上方」とは閉じた状態における便蓋の上方を指し、「側方」とは閉じた状態における便蓋の側方を指すものである。
【０００８】
第２の発明は、第１の発明において、前記側板は、前記基材に対して着脱自在とされたことを特徴とする便座装置である。  
この便座装置によれば、使用者は自身の好みに応じて側板を交換することができる。そのため、便蓋全体を交換することなく、低価格で新たな意匠の便蓋を提供することができる。さらに、側板に傷がついた場合であっても、その傷がついた部分だけを交換すればよいため、低価格で修理することができる。
【０００９】
第３の発明は、第２の発明において、前記天板は、前記基材に対して着脱自在とされたことを特徴とする便座装置である。  
この便座装置によれば、使用者は自身の好みに応じて天板を交換することができる。そのため、便蓋全体を交換することなく、低価格で新たな意匠の便蓋を提供することができる。さらに、天板に傷がついた場合であっても、その傷がついた部分だけを交換すればよいため、低価格で修理することができる。
【００１０】
第４の発明は、第３の発明において、前記天板は、固定されたナットを有し、前記ナットと前記基材とがねじで締結されることにより、前記天板が前記基材に装着されることを特徴とする便座装置である。  
この便座装置によれば、開閉を繰り返す便蓋の表面に天板を強固に取り付けることができる。そのため、便蓋の開閉時に天板が脱落するおそれはほとんどない。また、天板が設けられた表面側から、ねじが見られることはないため、より高い意匠性を有する便蓋を提供することができる。
【発明の効果】
【００１１】
本発明の態様によれば、例えば、ガラス、人工大理石、石、金属、樹脂、陶器、あるいは磁器などといった異なる材質を用いつつ、より高い意匠性を持った便蓋を有する便座装置が提供される。
【発明を実施するための最良の形態】
【００１２】
以下、本発明の実施の形態について図面を参照しつつ説明する。なお、各図面中、同様の構成要素には同一の符号を付して詳細な説明は適宜省略する。  
図１は、本発明の実施の形態にかかる便座装置を備えたトイレ装置を表した斜視模式図である。
【００１３】
本実施形態にかかる便座装置は、洋式腰掛便器（以下、単に「便器」と称す）１００に設置されたケーシング２００と、ケーシング２００に対して回動自在に軸支された便座３００および便蓋４００と、を備えている。便座３００および便蓋４００は、ヒンジ部を有し、それぞれのヒンジ部がケーシング２００に装着されることにより、ケーシング２００に対して回動自在に開閉できる。ケーシング２００の内部には、例えば、便座３００に座った使用者の「おしり」などの洗浄を実現する局部洗浄機能部などが内蔵されている。
【００１４】
また、ケーシング２００の内部には、例えば、便器１００のボウル内の空気を吸い込み、フィルタや触媒などを介して臭気成分を低減させる脱臭機能部や、便座３００に座った使用者の「おしり」などに向けて温風を吹き付けて乾燥させる温風乾燥機能部や、トイレ室内に温風を吹き出してトイレ室を暖房する室内暖房機能部などが内蔵されていてもよい。なお、局部洗浄機能部や脱臭機能部や温風乾燥機能部や室内暖房機能部などは、必ずしも設けなくてもよい。
【００１５】
図２は、本実施形態の便蓋を斜め後方から眺めた斜視模式図である。  
また、図３は本実施形態の便蓋を斜め前方から眺めた分解模式図である。  
便蓋４００は、後部にヒンジ部４１１が設けられた基材４１０と、基材４１０の上方を覆うように基材４１０に装着される天板４２０と、基材４１０の側方を覆うように基材４１０に装着される側板４３０と、を有している。便蓋４００は、ヒンジ部４１１がケーシング２００に装着されることにより、ケーシング２００に対して回動自在に開閉できる。
【００１６】
また、基材４１０の下側には、図３に表したように、側板４３０に側方を覆われるようにして、断熱材４４０が設けられている。そして、断熱材４４０の下側には、同じく側板４３０に側方を覆われるようにして、化粧板４５０が設けられている。但し、断熱材４４０および化粧板４５０は、必ずしも設けなくともよい。
【００１７】
基材４１０は、例えば、樹脂などから形成されている。また、天板４２０は、例えば、金属、樹脂、ガラス、人工大理石、あるいは石などから形成されている。またさらに、側板４３０は、金属あるいは樹脂などから形成されている。これによれば、天板４２０は様々な材質から形成されるため、種々のデザインの便蓋４００を得ることができる。
【００１８】
図４は、本実施形態にかかる便蓋の内部構造を表す断面模式図である。  
また、図５は、基材と天板との取付位置を拡大して眺めた断面模式図である。  
なお、以下の図４〜図１６は、図２に表したＡ−Ａ断面図に相当する。
【００１９】
図４および図５に表したように、天板４２０の中央部には凸部４２１が設けられている。凸部４２１には、図５に表したように、ナット４２２が挿入されている。なお、ナット４２２は、天板４２０の形成時に予め挿入されていてもよいし、天板４２０の形成後に挿入されてもよい。
【００２０】
また、天板４２０の凸部４２１は、基材４１０の中央部に設けられた凹部４１３（図３参照）に挿入されるようにして、基材４１０に当接している。これによれば、天板４２０を基材４１０に固定するための平面が確保される。そして、例えば、ねじやボルトなどの固定部材４７２を基材４１０に設けられた固定部材孔４１４に下側から挿入して、ナット４２２に締結することによって、天板４２０を基材４１０に取り付けることができる。これによれば、開閉を繰り返す便蓋４００において天板４２０を強固に取り付けることができる。そのため、便蓋４００の開閉時に天板４２０が脱落するおそれはほとんどない。
【００２１】
ナット４２２に締結された状態の固定部材４７２の下側には、断熱材４４０が取り付けられ、その断熱材４４０の下側には化粧板４５０がさらに取り付けられている。そのため、固定部材４７２は、化粧板４５０によって覆い隠されており、使用者によって見られることはない。これによれば、本実施形態にかかる便蓋４００は、より高い意匠性を持つことができる。
【００２２】
なお、本実施形態では、天板４２０に凸部４２１が設けられ、基材４１０に凹部４１３が設けられた場合を例に挙げて説明したが、これだけに限定されるわけではない。例えば、天板４２０は平板状を有し、基材４１０に凸部が設けられていてもよい。これによっても、天板４２０を基材４１０に固定するための平面が確保される。但し、固定部材４７２を固定部材孔４１４に下側から挿入して、ナット４２２に締結することを考慮すると、図４および図５に表したように、天板４２０に凸部４２１が設けられ、締結するための一定距離が確保されることが好ましい。
【００２３】
図６は、基材と側板との取付位置を拡大して眺めた断面模式図である。  
側板４３０には、後に詳述するように、突起部４３１が設けられている。また、その突起部４３１には、固定部材を挿入するための固定部材孔４３２が設けられている。そして、突起部４３１を基材４１０に当接し、固定部材孔４３２の下側から固定部材４７３を挿入して、基材４１０に締結することによって、側板４３０を基材４１０に取り付けることができる。
【００２４】
基材４１０に締結された状態の固定部材４７３の下側には、化粧板４５０が取り付けられている。そのため、図４および図５に関して前述したように、固定部材４７３は、化粧板４５０によって覆い隠されており、使用者によって見られることはない。これによれば、本実施形態にかかる便蓋４００は、より高い意匠性を持つことができる。
【００２５】
また、図４および図５に関して前述したように、天板４２０はその中央部に設けられた凸部４２１において支持され、固定部材４７２によって基材４１０に固定されている。その結果、図６に表したように、天板４２０と側板４３０との間には、隙間Ｂが生じている。そのため、例えば、天板４２０に外部から衝撃が加わったとしても、隙間Ｂはその衝撃や天板４２０の撓みを吸収することができる。これによれば、天板４２０に外部から衝撃が加わったとしても、天板４２０が側板４３０に干渉したり、破損するおそれは少ない。
【００２６】
図７は、本実施形態の変形例にかかる便蓋の内部構造を表す断面模式図である。  
図８は、本変形例の便蓋における基材と側板との取付位置を拡大して眺めた断面模式図である。  
図９は、側板の変形例を例示した模式図であり、基材と側板との取付位置を拡大して眺めた断面模式図である。
【００２７】
天板４２０は、図２および図３に関して前述したように、例えば、金属、樹脂、ガラス、人工大理石、あるいは石などから形成されている。そのため、天板４２０は、ガラス、人工大理石、あるいは石などの材質により形成された場合には、外部からの非常に強い衝撃により破損するおそれがある。
【００２８】
そこで、本変形例にかかる便蓋４００ａでは、基材４１０と天板４２０との間に、外部からの衝撃および天板４２０の撓みを吸収可能な緩衝材４７１が設けられている。緩衝材４７１は、基材４１０に設けられた緩衝材孔４１２に挿入され固定されている。なお、緩衝材４７１の固定方法については、例えば緩衝材４７１に「雄ねじ」が設けられ、一方で緩衝材孔４１２に「雌ねじ」が設けられ、その「雄ねじ」と「雌ねじ」とが螺合されることにより、緩衝材４７１は基材４１０に固定されていてもよい。その他の構造については、図２〜図６に関して前述した便蓋４００と同様である。
【００２９】
緩衝材４７１は、外部からの衝撃や天板４２０の撓みを吸収することができるため、天板４２０に外部から衝撃が加わったとしても、天板４２０が側板４３０に干渉したり、破損するおそれは少ない。また、図６に表した隙間Ｂと同様に、本変形例にかかる便蓋４００ａにおいても、天板４２０と側板４３０との間には、隙間Ｂが生じている。したがって、緩衝材４７１と隙間Ｂとの相乗効果により、天板４２０に外部から非常に強い衝撃が加わったとしても、天板４２０が側板４３０に干渉したり、破損するおそれは少ない。
【００３０】
なお、側板４３０の上端部４３３は、図９に表したように、天板４２０よりも外側に配置されてもよい。この場合には、天板４２０と側板４３０ａとの間には、水平方向の隙間Ｃが生ずる。これによれば、上下方向に対して外部から非常に強い衝撃が天板４２０に加わったとしても、天板４２０と側板４３０ａとの干渉をより確実に回避することができる。
【００３１】
本実施形態の便蓋４００によれば、天板４２０および側板４３０は、基材４１０に対して着脱可能に設けられている。つまり、便蓋４００の外観部分（天板４２０および側板４３０）を着脱して交換することができる。そのため、例えば、ガラス、人工大理石、石、金属、樹脂、陶器、あるいは磁器などといった異なる材質から選択した天板４２０に対して、意匠的に調和する側板４３０を選択することができる。これによれば、便蓋４００は、外観部分の調和をとりつつ高い意匠性を有することができる。
【００３２】
また、天板４２０および側板４３０は、基材４１０に対して着脱可能に設けられているため、使用者は自身の好みに応じて天板４２０および側板４３０の少なくともいずれかを交換することができる。そのため、使用者は、便蓋４００全体を交換することなく、低価格で新たな意匠の便蓋４００を得ることができる。さらに、天板４２０および側板４３０の少なくともに傷がついた場合であっても、その傷がついた部分だけを交換すればよいため、低価格で修理することができる。
【００３３】
次に、各部材の構造や取り付け方法などの具体例について、図面を参照しつつ説明する。  
図１０は、本実施形態の基材を縦に半割りした状態で斜め上方から眺めた斜視模式図である。  
また、図１１は、本実施形態の基材を縦に半割りした状態で斜め下方から眺めた斜視模式図である。  
なお、「縦に半割りした状態」とは、図２に表したＡ−Ａに沿って切断した状態（Ａ−Ａ断面図）に相当する。
【００３４】
基材４１０の中央部には、図１０に表したように、凹部４１３が設けられている。天板４２０を基材４１０に取り付ける際には、天板４２０の凸部４２１は凹部４１３に挿入される。また、基材４１０をその上面に対して略垂直に見た場合の凹部４１３の形状と、天板４２０をその下面に対して略垂直に見た場合の凸部４２１の形状と、は略相似形であり、凹部４１３の形状は凸部４２１の形状よりもやや大きい。そのため、凸部４２１が凹部４１３に挿入された際には、基材４１０に対する天板４２０の位置が簡略的に決定される。
【００３５】
また、基材４１０は中央部に設けられた凹部４１３においてのみ、天板４２０を支持し固定しているため、天板４２０を基材４１０に固定するための平面が確保される。つまり、天板４２０は所定の大きさを有し、その厚さはその大きさに比べて非常に小さい。そのため、天板４２０が形成された後には、反りなどが発生するおそれがある。そのような場合に、中央部ではなく周辺部において天板４２０を支持すると、天板４２０を基材４１０に固定するための平面が確保され難いおそれがある。
【００３６】
これに対して、本実施形態の基材４１０および天板４２０では、中央部においてのみ天板４２０を支持し固定しているため、天板４２０を基材４１０に固定するための平面が確保されやすい。なお、天板４２０の形成条件や寸法の管理などを十分に行えば、中央部ではなく周辺部において天板４２０を支持しても、天板４２０を基材４１０に固定するための平面を確保することは可能である。
【００３７】
また、基材４１０の下面には、図１１に表したように、例えば「リブ」などと呼ばれる補強部４１５が設けられている。そのため、基材４１０は、ある程度の荷重に対しても耐えることができる。これによれば、天板４２０に荷重が加わり、その荷重が基材４１０に加わったとしても、基材４１０が破損するおそれは少ない。また、基材４１０には、便蓋クッション４７５が取り付けられる。この便蓋クッション４７５については、後に詳述する。
【００３８】
図１２は、本実施形態に側板を斜め上方から眺めた斜視模式図である。  
図１２に表したように、側板４３０には突起部４３１が設けられ、その突起部４３１には固定部材孔４３２が設けられている。この固定部材孔４３２の下側から固定部材４７３を挿入して、基材４１０に締結することによって、側板４３０は基材４１０に固定される。
【００３９】
また、側板４３０の側方には、周縁部４３４が設けられている。この周縁部４３４は、基材４１０および断熱材４４０の側方を覆い隠すことができる。そのため、基材４１０および断熱材４４０は、使用者によって見られることはない。これによれば、本実施形態にかかる便蓋４００は、より高い意匠性を持つことができる。
【００４０】
図１３は、断熱材の取り付け方法を説明するための斜視模式図である。  
なお、以下の図１３〜図１６については、緩衝材４７１が設けられた場合を例に挙げて説明する。
【００４１】
断熱材４４０は、基材４１０の下側に両面テープなどの接着剤により接合されている。この断熱材４４０は、便座３００を暖房したり保温したりして、便座３００に着座した使用者の臀部を暖めることができる暖房便座からの熱が放熱することを抑制できる。断熱材４４０が設けられていない場合には、便座３００からの熱が基材４１０および天板４２０に伝わり、外部に放熱されやすくなる。天板４２０が金属などのような熱伝導率が大きい材質から形成されている場合には、この現象が顕著になる。
【００４２】
これに対して、本実施形態にかかる便蓋４００には、基材４１０の下側に断熱材４４０が設けられているため、暖房便座からの熱が外部に放熱することを抑制できる。なお、断熱材４４０には、図１３に表したように、側板４３０の突起部４３１との干渉を回避する切り欠き部４４１が適宜設けられている。また、側板４３０の突起部４３１および便蓋クッション４７５を取り付ける便蓋クッション孔４１６との干渉を回避する切り欠き部４４２が、断熱材４４０の前端部に設けられている。なお、断熱材４４０を基材４１０に取り付ける方法は、接着剤に限定されず、例えばねじやボルトなどの固定部材によるものであってもよい。
【００４３】
図１４は、化粧板の取り付け方法を説明するための斜視模式図である。  
また、図１５は、化粧板の後端部を拡大して眺めた拡大模式図である。  
また、図１６は、化粧板の前端部を拡大して眺めた拡大模式図である。
【００４４】
化粧板４５０は、断熱材４４０の下側に設けられ、断熱材４４０や側板４３０を固定する固定部材４７３などを覆い隠している。そのため、断熱材４４０や固定部材４７３などは、使用者によって見られることはない。これによれば、本実施形態にかかる便蓋４００は、より高い意匠性を持つことができる。
【００４５】
化粧板４５０は、後端部において爪部４５１によって基材４１０に引っかけられ、前端部において便蓋クッション４７５によって押さえられている。より具体的には、図１５に表したように、化粧板４５０の後端部には、爪部４５１が設けられている。一方、基材４１０の後端部には、化粧板４５０の爪部４５１と係合可能な爪部４１７が設けられている。そして、化粧板４５０の爪部４５１と、基材４１０の爪部４１７と、が図１５に表したように係合されることにより、化粧板４５０は基材４１０に取り付けられている。
【００４６】
また、図１６に表したように、化粧板４５０の前端部は便蓋クッション４７５の両端部によって断熱材４４０の方向に押さえられている。便蓋クッション４７５には突起部４７５ａ（図３参照）が設けられており、この突起部４７５ａは基材４１０の前端部に設けられた便蓋クッション孔４１６に挿入されている。これにより、便蓋クッション４７５は、その両端部において化粧板４５０を断熱材４４０の方向に押さえることができる。つまり、便蓋クッション４７５は、化粧板４５０を固定する機能と、便蓋４００がケーシング２００に対して閉止されたときの衝撃を緩和する緩衝材としての機能と、を有している。
【００４７】
以上説明したように、本実施形態によれば、便蓋４００は基材４１０と天板４２０と側板４３０との３つの部材を有し、天板４２０および側板４３０は基材４１０に対して着脱可能に設けられている。つまり、便蓋４００の外観部分（天板４２０および側板４３０）を着脱して交換することができる。そのため、例えば、ガラス、人工大理石、石、金属、樹脂、陶器、あるいは磁器などといった異なる材質から選択した天板４２０に対して、意匠的に調和する側板４３０を選択することができる。したがって、便蓋４００は、外観部分の調和をとりつつ高い意匠性を有することができる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座装置や便蓋４００などが備える各要素の形状、寸法、材質、配置などや断熱材４４０や化粧板４５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００４９】
【図１】本発明の実施の形態にかかる便座装置を備えたトイレ装置を表した斜視模式図である。
【図２】本実施形態の便蓋を斜め後方から眺めた斜視模式図である。
【図３】図３は本実施形態の便蓋を斜め前方から眺めた分解模式図である。
【図４】本実施形態にかかる便蓋の内部構造を表す断面模式図である。
【図５】基材と天板との取付位置を拡大して眺めた断面模式図である。
【図６】基材と側板との取付位置を拡大して眺めた断面模式図である。
【図７】本実施形態の変形例にかかる便蓋の内部構造を表す断面模式図である。
【図８】本変形例の便蓋における基材と側板との取付位置を拡大して眺めた断面模式図である。
【図９】側板の変形例を例示した模式図であり、基材と側板との取付位置を拡大して眺めた断面模式図である。
【図１０】本実施形態の基材を縦に半割りした状態で斜め上方から眺めた斜視模式図である。
【図１１】本実施形態の基材を縦に半割りした状態で斜め下方から眺めた斜視模式図である。
【図１２】本実施形態に側板を斜め上方から眺めた斜視模式図である。
【図１３】断熱材の取り付け方法を説明するための斜視模式図である。
【図１４】化粧板の取り付け方法を説明するための斜視模式図である。
【図１５】化粧板の後端部を拡大して眺めた拡大模式図である。
【図１６】化粧板の前端部を拡大して眺めた拡大模式図である。
【符号の説明】
【００５０】
１００ 便器、  ２００ ケーシング、  ３００ 便座、  ４００ 便蓋、  ４００ａ 便蓋、  ４１０ 基材、  ４１１ ヒンジ部、  ４１２ 緩衝材孔、  ４１３ 凹部、  ４１４ 固定部材孔、  ４１５ 補強部、  ４１６ 便蓋クッション孔、  ４１７ 爪部、  ４２０ 天板、  ４２１ 凸部、  ４２２ ナット、  ４３０ 側板、  ４３０ａ 側板、  ４３１ 突起部、  ４３２ 固定部材孔、  ４３３ 上端部、  ４３４ 周縁部、  ４４０ 断熱材、  ４４１ 切り欠き部、  ４４２ 切り欠き部、  ４５０ 化粧板、  ４５１ 爪部、  ４７１ 緩衝材、  ４７２ 固定部材、  ４７３ 固定部材、  ４７５ 便蓋クッション、  ４７５ａ 突起部
【図１】
2010082013.tif 000003
【図２】
2010082013.tif 000004
【図３】
2010082013.tif 000005
【図４】
2010082013.tif 000006
【図５】
2010082013.tif 000007
【図６】
2010082013.tif 000008
【図７】
2010082013.tif 000009
【図８】
2010082013.tif 000010
【図９】
2010082013.tif 000011
【図１０】
2010082013.tif 000012
【図１１】
2010082013.tif 000013
【図１２】
2010082013.tif 000014
【図１３】
2010082013.tif 000015
【図１４】
2010082013.tif 000016
【図１５】
2010082013.tif 000017
【図１６】
2010082013.tif 000018